(57)【特許請求の範囲】
【請求項１】
上部構造体が免震支承装置によって基礎より免震支承された免震建物において、
前記上部構造体の下部に化粧板の上端部が水平ヒンジ軸によるヒンジによって回動可能に支持されており、前記化粧板は、前記基礎の中間高さ位置に到達する長さを有して前記ヒンジによる支持部より下方に垂下し、前記上部構造体と前記基礎との間の前記免震支承装置配置のための空隙部およびそれより下方の前記基礎を一括して覆い隠すことを特徴とする免震建物。
【請求項２】
前記上部構造体の前記ヒンジ配置部に当該上部構造体と前記化粧板の上端部との間隙より床下側へ雨水等が浸入することを防止するための弾性体製の水切りガスケットが設けられていることを特徴とする請求項１に記載の免震建物。
【請求項３】
前記水切りガスケットは、前記上部構造体に対する取付片部と、鉤形片部とを有し、該鉤形片部の内側に前記化粧板の上端部を収容し、当該鉤形片部によって前記化粧板の上端部を覆い隠すことを特徴とする請求項２に記載の免震建物。
【請求項４】
前記化粧板の下部側に前記基礎の側面と当接するバンプラバーが取り付けられていることを特徴とする請求項１〜３の何れか一項に記載の免震建物。
【請求項５】
前記上部構造体の下部に前記化粧板が前記空隙部側に入り込むことを禁止する化粧板押さえが設けられていることを特徴とする請求項１〜４の何れか一項に記載の免震建物。
【請求項６】
前記化粧板は前記上部構造体の側方に設けられていることを特徴とする請求項１〜５の何れか一項に記載の免震建物。
【請求項７】
前記ヒンジは前記上部構造体の側方に設けられていることを特徴とする請求項１〜６の何れか一項に記載の免震建物。
【請求項８】
前記化粧板は前記ヒンジより外側に設けられていることを特徴とする請求項１〜７の何れか一項に記載の免震建物。
【発明の詳細な説明】
【０００１】
【発明の属する技術分野】
この発明は、免震建物に関し、特に戸建て住宅等の免震建物の外装構造に関するものである。
【０００２】
【従来の技術】
戸建て住宅等において、上部構造体が免震支承装置によって基礎より免震支承（積層ゴム支承、転がり支承、滑り支承）された免震建物は、既に知られており、特開平１０−３０６８４１号公報等に示されている。
上述の免震建物では、上部構造体は基礎に対して相対的に水平方向に変位可能であり、上部構造体と基礎との水平方向に相対変位により地震エネルギを吸収し、地震エネルギが上部構造体に作用することを回避する。
【０００３】
【発明が解決しようとする課題】
上述のような免震建物では、上部構造体と基礎との間に免震支承装置配置のための空隙部（免震層）が存在するので、建物外観の見栄えをよくし、免震層への小動物が侵入したり、子供が進入することを防ぐために、上部構造体と基礎との空隙部を、建物外壁の下部延長壁としての化粧板等により、覆い隠すことが要求される。
【０００４】
空隙部（床下空隙）を覆い隠す化粧板は、上部構造体と基礎との水平方向に相対変位を阻害するものであってはならないと云う基本的な必要要件に加え、上部構造体と基礎との水平方向の相対変位に関して残留変位が発生しても、その残留変位を目立たなくして建物外観の見栄えを保ち、また、空隙部に雨水などが侵入することを防ぐ構造であることを要求される。
この発明は上述の如き要求を全て満足する化粧板を備えた免震建物を提供することを目的としている。
【０００５】
【課題を解決するための手段】
上述の目的を達成するために、請求項１に記載の発明による免震建物は、上部構造体が免震支承装置によって基礎より免震支承された免震建物において、前記上部構造体の下部に化粧板の上端部が水平ヒンジ軸によるヒンジによって回動可能に支持されており、化粧板は、前記基礎の中間高さ位置に到達する長さを有して前記ヒンジによる支持部より下方に垂下し、前記上部構造体と前記基礎との間の免震装置配置のための空隙部およびそれより下方の前記基礎を一括して覆い隠すものである。
【０００６】
この構成によれば、地震によって上部構造体と基礎とに水平方向の相対変位が生じると、化粧板はヒンジの水平ヒンジ軸の軸線周り回動してその相対変位を許容し、化粧板は上部構造体と基礎との間の空隙部は勿論のこと、基礎まで充分に覆い、上部構造体と基礎との水平方向の残留変位によって化粧板下端と基礎との間に多少のずれが生じても目立たない。
請求項２に記載の発明による免震建物は、前記上部構造体のヒンジ配置部に当該上部構造体と前記化粧板の上端部との間隙より床下側へ雨水等が浸入することを防止するための弾性体製の水切りガスケットが設けられているものである。
【０００７】
この構成によれば、水切りガスケットによるシール効果によって上部構造体と化粧板の上端部との間隙より床下側やヒンジ配置部に雨水等が浸入することが防止されるとともに、水切りガスケットが弾性体製であるから、水切りガスケットが上部構造体と基礎とに水平方向の相対変位を阻害することがない。
請求項３に記載の発明による免震建物は、前記水切りガスケットは、前記上部構造体に対する取付片部と、鉤形片部とを有し、前記鉤形片部の内側に前記化粧板の上端部を収容し、当該鉤形片部によって前記化粧板の上端部を覆い隠すものである。
【０００８】
この構成によれば、水切りガスケットは、鉤形片部の内側に化粧板の上端部を収容して鉤形片部によって化粧板の上端部を覆い隠すので、上部構造体と化粧板上端部との間隙のシールが確実に行われ、この間隙より床下側やヒンジ配置部に雨水等が浸入することを確実に防止できる。
請求項４に記載の発明による免震建物は、前記化粧板の下部側に前記基礎の側面と当接するバンプラバーが取り付けられているものである。
【０００９】
この構成によれば、化粧板はバンプラバーによって基礎の側面と当接し、基礎の保護が図られるとともに、剛体同士の衝突による衝突音などが発生することがない。
請求項５に記載の発明による免震建物は、前記上部構造体の下部に前記化粧板が前記空隙部側に入り込むことを禁止する化粧板押さえが設けられているものである。
【００１０】
この構成によれば、風圧等により化粧板が空隙部側に入り込むことが化粧板押さえにより禁止される。
請求項６に記載の発明による免震建物は、前記化粧板が前記上部構造体の側方に設けられているものである。
この構成によれば、建物の外周縁の床梁や角部柱直下の近傍に免震支承装置を効果的に配置できる。
【００１１】
請求項７に記載の発明による免震建物は、前記ヒンジが前記上部構造体の側方に設けられているものである。
この構成によれば、建物の外周縁の床梁や角部柱直下の近傍に免震支承装置を効果的に配置できる。
請求項８に記載の発明による免震建物は、前記化粧板が前記ヒンジより外側に設けられているものである。
この構成によれば、建物の外周縁の床梁や角部柱直下の近傍に免震支承装置を効果的に配置できる。
【００１２】
【発明の実施の形態】
以下に添付の図を参照してこの発明の実施の形態を詳細に説明する。
図１はこの発明による免震建物の全体構造を示しており、免震支承装置２は、一部のみを図示し、角部については図示を省略している。この免震建物は、地盤上の基礎１上に積層ゴム等による免震支承装置２を介して上部構造体である建物ユニット３を据え置かれている。これにより、建物ユニット３は免震支承装置２によって基礎１に対して水平方向に相対変位可能に免震支承される。
【００１３】
建物ユニット３の一つは、玄関開口４を有しており、玄関開口４の前方部に余裕空間をおいて玄関ステップ５が設けられ、上部構造体である建物ユニット３より玄関ステップ５上に刎ね出す形態ではね出し板６が設けられる。
建物ユニット３の下部には建物外壁の下部延長壁としての塗装防錆鋼板等による化粧板７が設けられている。
【００１４】
化粧板７の取付構造の詳細を図２を参照して説明する。建物ユニット３の下部には外壁面８より一段奥まったヒンジ配置用凹部９が建物ユニット３の下縁に沿って形成されており、このヒンジ配置用凹部９に水平ヒンジ軸１０によるヒンジ１１が取り付けられている。ヒンジ１１には化粧板７の上端部７ａが接続されており、ヒンジ１１は化粧板７を水平ヒンジ軸１０の軸線周りに回動可能に支持している。
【００１５】
この構造により、ヒンジ１１ならびに化粧板７は建物ユニット３の側方に設けられ、しかも化粧板７はヒンジ１１より外側に設けられる。
そして、化粧板７が建物ユニット３等よりも外側に設けられることによって、免震支承装置２を建物ユニット３の角部（柱直下部）等に配置することができる。すなわち、前記免震支承装置２が直動レール支承等を備え、広い設置面積を要する場合にも、建物ユニット３の角部から内側にずらして配置する必要を少なくすることができ、免震支承装置２を建物ユニット３の角部等により接近させて配置できることによって、柱を介して伝達される建物ユニット３の上階からの荷重を充分に支持することができるようになる。
【００１６】
化粧板７は、基礎１の中間高さ位置に到達する長さを有してヒンジ１１による支持部より下方に外壁面８と面一で鉛直垂下しており、建物ユニット３と基礎１との間の免震支承装置配置のための空隙部１２およびそれより下方の基礎１を一括して覆い隠している。
【００１７】
建物ユニット３のヒンジ配置部、すなわちヒンジ配置用凹部９には、弾性体製の水切りガスケット１３が設けられている。水切りガスケット１３は、建物ユニット３に対する取付片部１３ａと、鉤形片部（逆Ｌ字形片部）１３ｂとを有し、鉤形片部１３ｂの内側に化粧板７の上端部７ａおよびヒンジ１１を収容し、鉤形片部１３ｂによって化粧板７の上端部７ａおよびヒンジ１１を覆い隠している。
【００１８】
化粧板７の下部側には基礎１の側面と当接するバンプラバー１４が取り付けられている。
建物ユニット３の下部には化粧板押さえ１５が取り付けられている。化粧板押さえ１５は化粧板７との対向面１５ａが外壁面８より一段下がった鉛直面になっている。
【００１９】
上述の構成により、地震によって建物ユニット３と基礎１とに水平方向の相対変位が生じると、化粧板７は、ヒンジ１１の水平ヒンジ軸１０の軸線周り回動してその相対変位を許容し、化粧板としての基本的な必要要件としての建物ユニット３の免震支承を阻害することがない。
【００２０】
また、化粧板７は、基礎１の中間高さ位置に到達する長さを有しているから、建物ユニット３と基礎１との間の空隙部１２は勿論のこと、基礎１まで充分に覆い、建物ユニット３と基礎１との水平方向の残留変位によって化粧板下端と基礎１との間に多少のずれが生じても目立たない。
なお、通常状態では、化粧板７は、化粧板押さえ１５の対向面１５ａと対向して風圧等により空隙部１２側に入り込むことを禁止され、外壁面８と面一で鉛直垂下状態を安定して維持し、建物の外観上の見栄えをよくする。
【００２１】
さらに、建物ユニット３のヒンジ配置部に水切りガスケット１３が設けられ、水切りガスケット１３の鉤形片部１３ｂの内側に化粧板７の上端部７ａおよびヒンジ１１を収容し、鉤形片部１３ｂによって化粧板７の上端部７ａおよびヒンジ１１を覆い隠すことができるので、建物ユニット３と化粧板７の上端部７ａとの間隙のシールが確実に行われ、この間隙より床下側やヒンジ配置部に雨水等が浸入することが確実に防止され、同時にヒンジ１１の錆び付きも防止される。
そして、水切りガスケット１３は弾性体製であるから、化粧板７の回動変位が許容され、水切りガスケット１３が建物ユニット３と基礎１とに水平方向の相対変位を阻害することがない（図２中の矢印参照）。
【００２２】
また、化粧板７はバンプラバー１４によって基礎１の側面と当接するから、基礎１の保護が図られるとともに、剛体同士の衝突による衝突音などが発生することが回避される。
また、化粧板７、ヒンジ１１が建物ユニット３の側方に設けられ、しかも、化粧板７がヒンジ１１より外側に設けられているから、建物ユニット３の床梁や角部柱直下の近傍に免震支承装置を効果的に配置することができるようになる。
【００２３】
【発明の効果】
以上の説明から理解される如く、請求項１に記載の発明による免震建物によれば、上部構造体が免震支承装置によって基礎より免震支承された免震建物において、上部構造体の下部に化粧板の上端部が水平ヒンジ軸によるヒンジによって回動可能に支持されており、化粧板は、基礎の中間高さ位置に到達する長さを有してヒンジによる支持部より下方に垂下し、上部構造体と基礎との間の免震装置配置のための空隙部およびそれより下方の前記基礎を一括して覆い隠す構成としたので、地震によって上部構造体と基礎とに水平方向の相対変位が生じると、化粧板はヒンジの水平ヒンジ軸の軸線周りに回動してその相対変位を許容し、化粧板は上部構造体と基礎との間の空隙部は勿論のこと、基礎まで充分に覆い、上部構造体と基礎との水平方向の残留変位によって化粧板下端と基礎との間に多少のずれが生じても目立つことがなく、建物外観の見栄えを保つ。
【００２４】
請求項２に記載の発明による免震建物によれば、上部構造体のヒンジ配置部に当該上部構造体と化粧板の上端部との間隙より床下側へ雨水等が浸入することを防止するための弾性体製の水切りガスケットが設けられている構成としたので、水切りガスケットによるシール効果によって上部構造体と化粧板の上端部との間隙より床下側やヒンジ配置部に雨水等が浸入することが防止され、さらに水切りガスケットが弾性体製であるから、水切りガスケットが上部構造体と基礎とにおける水平方向の相対変位を阻害することがない。
【００２５】
請求項３に記載の発明による免震建物によれば、水切りガスケットは、上部構造体に対する取付片部と、鉤形片部とを有し、鉤形片部の内側に化粧板の上端部を収容し、当該鉤形片部によって化粧板の上端部を覆い隠す構成としたので、上部構造体と化粧板上端部との間隙のシールが確実に行われ、この間隙より床下側やヒンジ配置部に雨水等が浸入することが確実に防止される。
請求項４に記載の発明による免震建物によれば、化粧板の下部側に基礎の側面と当接するバンプラバーが取り付けられている構成としたので、化粧板はバンプラバーによって基礎の側面と当接し、基礎の保護が図られるとともに、剛体同士の衝突による衝突音などが発生することがない。
【００２６】
請求項５に記載の発明による免震建物によれば、上部構造体の下部に化粧板が空隙部側に入り込むことを禁止する化粧板押さえが設けられている構成としたので、風圧等により化粧板が空隙部側に入り込むことが禁止され、建物外観の見栄えが良好に保たれる。
請求項６に記載の発明による免震建物によれば、化粧板が上部構造体の側方に設けられている構成としたので、建物の外周縁の床梁や角部柱直下の近傍に免震支承装置を効果的に配置できる。
【００２７】
請求項７に記載の発明による免震建物によれば、ヒンジが上部構造体の側方に設けられている構成としたので、建物の外周縁の床梁や角部柱直下の近傍に免震支承装置を効果的に配置できる。
請求項８に記載の発明による免震建物によれば、化粧板がヒンジより外側に設けられている構成としたので、建物の外周縁の床梁や角部柱直下の近傍に免震支承装置を効果的に配置できる。
【図面の簡単な説明】
【図１】本発明の一実施形態の免震建物の全体構造を示す斜視図である。
【図２】図１の免震建物の化粧板の取付構造を示す側面図である。
【符号の説明】
１  基礎
２  免震支承装置
３  建物ユニット
４  玄関開口
５  玄関ステップ
７  化粧板
９  ヒンジ配置用凹部
１０  水平ヒンジ軸
１１  ヒンジ
１２  空隙部
１３  水切りガスケット
１３ａ  取付片部
１３ｂ  鉤形片部
１４  バンプラバー
１５  化粧板押さえ
【図１】
0004109373.tif 000002
【図２】
0004109373.tif 000003